(57)【要約】【課題】ペットボトルなどの被巻付体に貼り付ける接着剤を予め備えつつ、画像が形成される面を被巻付体側に向けてその被巻付体に貼り付けるシート等を提供する。【解決手段】シート３０は光透過性であって、第１面（うら面）に接着部３２を有する。そして、その接着部３２の中央に折返し部３４を有する。また、このシート３０の第２面（おもて面）には、反転画像が印刷されている。このシートの接着部３２のうちの第１領域３８をペットボトル４０に貼り付け、折返し部３４で折り返してペットボトル４０に巻き付け、矢印Ｌ側の端部を接着部３２のうちの第２領域３９に貼り付ける。【選択図】図７
2020147351.tif 000002
【特許請求の範囲】
【請求項１】
第１方向に延びる第１面と、
前記第１面の裏面である第２面であって、当該第１面側から当該第２面に向け光が透過する第２面と、
前記第１方向の第１端部に形成された、前記第１面に接着剤が塗布された接着部と、
前記第１端部に形成された折返部と、
前記接着部の、前記第１端部の第１端縁と前記折返部との間に第１領域が設けられていることを特徴とするシート。
【請求項２】
前記第１領域は、被貼付体に貼り付ける貼付け部であって、前記折返部で折り返すことにより第２面が該被貼付体側を向いた面となることを特徴とする請求項１に記載のシート。
【請求項３】
前記第２面には、反転画像が印刷されることを特徴とする請求項１または２に記載のシート。
【請求項４】
前記接着部が、前記折返部を挟み該第１領域とは反対側に第２領域を有することを特徴とする請求項１から３のうちのいずれか１項に記載のシート。
【請求項５】
前記被貼付体は被巻付体であって、
前記第２領域は、前記被巻付体に一周に亘って巻き付けたあとに、前記第１端部に対し前記第１方向で反対側にある第２端部に貼り付くことを特徴とする請求項１から４のうちのいずれか１項に記載のシート。
【請求項６】
前記折返部が、当該シートに折返しの力が作用した時に、該折返部に隣接した領域と比べ折返されやすい形状を有することを特徴とする請求項１から５のうちのいずれか１項に記載のシート。
【請求項７】
前記折返部は、前記シートが断続的に切断された第１のミシン目であることを特徴とする請求項１から６のうちのいずれか１項に記載のシート。
【請求項８】
前記第１のミシン目の、隣接する切断部どうしの間隔と１つの切断部の長さが１対１の比率であることを特徴とする請求項７に記載のシート。
【請求項９】
当該シートは、前記第１のミシン目よりも細かいピッチの第２のミシン目の破断により形成された縁を有することを特徴とする請求項７または８に記載のシート。
【請求項１０】
隣接した領域よりも硬い素材からなり前記折返部に沿って延在する硬質部を有することを特徴とする請求項１から６のうちのいずれか１項に記載のシート。
【請求項１１】
前記折返部に、折り癖が形成されていることを特徴とする請求項１から６のうちのいずれか１項に記載のシート。
【請求項１２】
当該手段を備えない場合と比べ前記折返部の位置の視認を容易化させる手段を備えたことを特徴とする請求項１から１１のうちのいずれか１項に記載のシート。
【請求項１３】
前記第１領域が、着色されることを特徴とする請求項１２に記載のシート。
【請求項１４】
前記第１領域が、該折返部を境にして隣接する領域とは異なる形状を有することを特徴とする請求項１２または１３に記載のシート。
【請求項１５】
前記第１領域が、前記折返部を境にして隣接する領域と比べ、前記第１方向に交わる第２方向の寸法が短い部分を有することを特徴とする請求項１４に記載のシート。
【請求項１６】
前記第１領域が、前記折返部から離れるにしたがって前記第１方向に交わる第２方向の寸法が短い弧形状を有することを特徴とする請求項１５に記載のシート。
【請求項１７】
前記第１領域に、該折返部を境にした切欠きを有することを特徴とする請求項１２に記載のシート。
【請求項１８】
前記第１領域に、前記折返部を指し示す目印が形成されることを特徴とする請求項１２から１７のうちのいずれか１項に記載のシート。
【請求項１９】
前記折返部が、前記第１方向に対し垂直な第２方向に延びていることを特徴とする請求項１から１８のうちのいずれか１項に記載のシート。
【請求項２０】
前記被巻付体がペットボトルであって、前記シートが、前記折返部が該ペットボトルの縦に延びるパーティクルラインに沿うように、該ペットボトルに巻き付けられていることを特徴とする請求項１９に記載のシート。
【請求項２１】
前記折返部が、前記接着部の、前記第１端縁から離れた側の縁に沿って延び、
前記シートの、前記第１方向の、前記第１端部とは反対側の第２端部に形成された、該シートの第１面に接着剤が塗布された第２接着部と、
前記シートの前記第２端部の第２端縁から離れた側の、前記第２接着部の縁に沿って延びる第２折返部とを有することを特徴とする請求項１から２０に記載のシート。
【請求項２２】
光透過性の第１シートと、
前記第１シートの第１面側に重ねられた第２シートとを備え、
前記第１シートが、
前記第１面の、第１方向の第１端部に形成された、接着剤が塗布された接着領域と、
前記第１端部に形成された、前記第１方向に交わる方向に延びる折返し線と、
前記第１方向に互いに平行に延びる分離用の複数の第３のミシン目と、
前記第１端部に形成された、前記第１方向に交わる方向に延びる分離用の第４のミシン目と、
前記第１方向について前記第１端部から離れた位置に形成された、前記第１方向に交わる方向に延びる分離用の第５のミシン目とを有することを特徴とする積層シート。
【請求項２３】
請求項２２に記載の積層シートを前記第１端部側を先頭にして搬送しながら、前記第１シートの第２面に印刷することを特徴とする印刷装置。
【請求項２４】
前記第２面に、前記第１面から視認する反転画像を印刷することを特徴とする請求項２３に記載の印刷装置。
【発明の詳細な説明】
【技術分野】
【０００１】
本発明は、シート、積層シートおよび印刷装置に関する。
【背景技術】
【０００２】
ポリエチレンテレフタレート（ｐｏｌｙｅｔｈｙｌｅｎｅ  ｔｅｒｅｐｈｔｈａｌａｔｅ）製のボトルであるペットボトル等の被巻付体に巻き付けられるシート状のラベルが知られている。
【０００３】
例えば、引用文献１には、印刷面を間に挟んだ２枚のシートからなるラベルが提案されている。
【０００４】
また、１枚のシートの、被巻付体に接する面に印刷し、その同じ面に糊付けして被巻付体に巻き付けるタイプのラベルも知られている。
【先行技術文献】
【特許文献】
【０００５】
【特許文献１】特開平５−２０４３１２号公報
【発明の概要】
【発明が解決しようとする課題】
【０００６】
本発明は、被巻付体に貼り付ける接着剤を予め備えつつ、画像が形成される面を被巻付体側に向けてその被巻付体に貼り付けるシート、そのシートが他のシートに積層された積載シート、および、その積層シートに印刷する印刷装置を提供することを目的とする。
【課題を解決するための手段】
【０００７】
請求項１は、
第１方向に延びる第１面と、
前記第１面の裏面である第２面であって、当該第１面側から当該第２面に向け光が透過する第２面と、
前記第１方向の第１端部に形成された、前記第１面に接着剤が塗布された接着部と、
前記第１端部に形成された折返部と、
前記接着部の、前記第１端部の第１端縁と前記折返部との間に第１領域が設けられていることを特徴とするシートである。
【０００８】
請求項２は、
前記第１領域は、被貼付体に貼り付ける貼付け部であって、前記折返部で折り返すことにより第２面が該被貼付体側を向いた面となることを特徴とする請求項１に記載のシートである。
【０００９】
請求項３は、
前記第２面には、反転画像が印刷されることを特徴とする請求項１または２に記載のシートである。
【００１０】
請求項４は、
前記接着部が、前記折返部を挟み該第１領域とは反対側に第２領域を有することを特徴とする請求項１から３のうちのいずれか１項に記載のシートである。
【００１１】
請求項５は、
前記被貼付体は被巻付体であって、
前記第２領域は、前記被巻付体に一周に亘って巻き付けたあとに、前記第１端部に対し前記第１方向で反対側にある第２端部に貼り付くことを特徴とする請求項１から４のうちのいずれか１項に記載のシートである。
【００１２】
請求項６は、
前記折返部が、当該シートに折返しの力が作用した時に、該折返部に隣接した領域と比べ折返されやすい形状を有することを特徴とする請求項１から５のうちのいずれか１項に記載のシートである。
【００１３】
請求項７は、
前記折返部は、前記シートが断続的に切断された第１のミシン目であることを特徴とする請求項１から６のうちのいずれか１項に記載のシートである。
【００１４】
請求項８は、
前記第１のミシン目の、隣接する切断部どうしの間隔と１つの切断部の長さが１対１の比率であることを特徴とする請求項７に記載のシートである。
【００１５】
請求項９は、
当該シートは、前記第１のミシン目よりも細かいピッチの第２のミシン目の破断により形成された縁を有することを特徴とする請求項７または８に記載のシートである。
【００１６】
請求項１０は、
隣接した領域よりも硬い素材からなり前記折返部に沿って延在する硬質部を有することを特徴とする請求項１から６のうちのいずれか１項に記載のシートである。
【００１７】
請求項１１は、
前記折返部に、折り癖が形成されていることを特徴とする請求項１から６のうちのいずれか１項に記載のシートである。
【００１８】
請求項１２は、
当該手段を備えない場合と比べ前記折返部の位置の視認を容易化させる手段を備えたことを特徴とする請求項１から１１のうちのいずれか１項に記載のシートである。
【００１９】
請求項１３は、
前記第１領域が、着色されることを特徴とする請求項１２に記載のシートである。
【００２０】
請求項１４は、
前記第１領域が、該折返部を境にして隣接する領域とは異なる形状を有することを特徴とする請求項１２または１３に記載のシートである。
【００２１】
請求項１５は、
前記第１領域が、前記折返部を境にして隣接する領域と比べ、前記第１方向に交わる第２方向の寸法が短い部分を有することを特徴とする請求項１４に記載のシートである。
【００２２】
請求項１６は、
前記第１領域が、前記折返部から離れるにしたがって前記第１方向に交わる第２方向の寸法が短い弧形状を有することを特徴とする請求項１５に記載のシートである。
【００２３】
請求項１７は、
前記第１領域に、該折返部を境にした切欠きを有することを特徴とする請求項１２に記載のシートである。
【００２４】
請求項１８は、
前記第１領域に、前記折返部を指し示す目印が形成されることを特徴とする請求項１２から１７のうちのいずれか１項に記載のシートである。
【００２５】
請求項１９は、
前記折返部が、前記第１方向に対し垂直な第２方向に延びていることを特徴とする請求項１から１８のうちのいずれか１項に記載のシートである。
【００２６】
請求項２０は、
前記被巻付体がペットボトルであって、前記シートが、前記折返部が該ペットボトルの縦に延びるパーティクルラインに沿うように、該ペットボトルに巻き付けられていることを特徴とする請求項１９に記載のシートである。
【００２７】
請求項２１は、
前記折返部が、前記接着部の、前記第１端縁から離れた側の縁に沿って延び、
前記シートの、前記第１方向の、前記第１端部とは反対側の第２端部に形成された、該シートの第１面に接着剤が塗布された第２接着部と、
前記シートの前記第２端部の第２端縁から離れた側の、前記第２接着部の縁に沿って延びる第２折返部とを有することを特徴とする請求項１から２０に記載のシートである。
【００２８】
請求項２２は、
光透過性の第１シートと、
前記第１シートの第１面側に重ねられた第２シートとを備え、
前記第１シートが、
前記第１面の、第１方向の第１端部に形成された、接着剤が塗布された接着領域と、
前記第１端部に形成された、前記第１方向に交わる方向に延びる折返し線と、
前記第１方向に互いに平行に延びる分離用の複数の第３のミシン目と、
前記第１端部に形成された、前記第１方向に交わる方向に延びる分離用の第４のミシン目と、
前記第１方向について前記第１端部から離れた位置に形成された、前記第１方向に交わる方向に延びる分離用の第５のミシン目とを有することを特徴とする積層シートである。
【００２９】
請求項２３は、
請求項２２に記載の積層シートを前記第１端部側を先頭にして搬送しながら、前記第１シートの第２面に印刷することを特徴とする印刷装置である。
【００３０】
請求項２４は、
前記第２面に、前記第１面から視認する反転画像を印刷することを特徴とする請求項２３に記載の印刷装置である。
【発明の効果】
【００３１】
請求項１のシートによれば、被巻付体に貼り付ける接着剤を予め備えつつ、画像が形成される面を被巻付体側に向けてその被巻付体に貼り付けることができる。
【００３２】
請求項２のシートによれば、第１面の接着剤を被貼付体に貼り付けつつ、第２面を被貼付体側を向いた面とすることができる。
【００３３】
請求項３のシートによれば、第２面を被貼付体側に向けた状態で正しい画像が視認される。
【００３４】
請求項４のシートによれば、第１端部に形成された１か所の接着部に、被貼付体への接着とシートどうしの接着とを担わせることができる。
【００３５】
請求項５のシートによれば、第１端部に形成された１か所の接着部に、被巻付体への接着と、その被巻付体を一周したシートどうしの接着とを担わせることができる。
【００３６】
請求項６のシートによれば、折返部が、その折返部に隣接した領域と同じ折返されやすさの場合と比べ、折返しの作業が容易である。
【００３７】
請求項７のシートによれば、ミシン目が形成されていない折返部と比べ、折返しの作業が容易である。
【００３８】
請求項８のシートによれば、隣接する切断部どうしの間隔と１つの切断部の長さが１対１から外れた比率のミシン目が形成された折返部と比べ、破断に耐える引張強度と折返し易さとが両立する。
【００３９】
請求項９のシートによれば、ミシン目で破断される縁と折返部とで同じピッチのミシン目を採用した場合と比べ、破断された縁の滑らかさと折返部の折返し易さとが両立する。
【００４０】
請求項１０のシートによれば、硬質部が存在しない場合と比べ、折返しの作業が容易である。
【００４１】
請求項１１のシートによれば、折り癖が形成されていない場合と比べ、折返しの作業が容易である。
【００４２】
請求項１２のシートによれば、折返部の位置の視認を容易化させる手段を備えていない場合とくらべ、折返部の位置を容易に知ることができる。
【００４３】
請求項１３のシートによれば、第１領域が着色されていない場合と比べ、折返部の位置を容易に知ることができる。
【００４４】
請求項１４のシートによれば、第１領域が折返部を境にして隣接した領域と同じ形状を有する場合と比べ、折返部の位置を容易に知ることができる。
【００４５】
請求項１５のシートによれば、第１領域の第２方向の寸法が、折返部を境にして隣接する領域の第２方向の寸法と同じ場合と比べ、折返部の位置を容易に知ることができる。
【００４６】
請求項１６のシートによれば、第１領域が矩形形状を有する場合と比べ、被巻付体に貼り付けやすい。
【００４７】
請求項１７のシートによれば、折返部を境にした切欠きが存在しない場合と比べ、折返部の位置を容易に知ることができる。
【００４８】
請求項１８のシートによれば、前記折返部を指し示す目印が存在しない場合と比べ、折返部の位置を容易に知ることができる。
【００４９】
請求項１９のシートによれば、折返部が第１方向に対し斜めに延びている場合と比べ、被巻付体に正しい姿勢に巻付けしやすい。
【００５０】
請求項２０のシートによれば、折返部をペットボトルのパーティクルラインに沿わせていない場合と比べ、正しい姿勢に巻付けしやすい。
【００５１】
請求項２１のシートによれば、第１端部側にのみ接着部を有する場合と比べ、被巻付体に螺旋状に巻き付けることが容易である。
【００５２】
請求項２２の積層シートによれば、積層されていないシートと比べ、被巻付体に巻き付ける前のシートの取り扱いが容易である。
【００５３】
請求項２３の印刷装置によれば、第１端部側を末尾にして搬送する場合、或いは第１方向に交わる方向に搬送する場合と比べ、印刷装置での第１シートの破断が生じにくい。
【００５４】
請求項２４の印刷装置によれば、印刷後のシートを被巻付体に巻き付けた状態で正しい画像が視認される。
【図面の簡単な説明】
【００５５】
【図１】本発明の第１実施形態としての積層シートを示した図である。
【図２】図１に示した円Ｒ１および円Ｒ２の部分の拡大図である。
【図３】折返し線としてのミシン目の実験結果を示した図である。
【図４】印刷後の積層シートの平面図である。
【図５】プリントシステムの模式図である。
【図６】プリンタの、用紙取り出し部分の構造を示した模式図である。
【図７】印刷後の積層シートをミシン目で分離した後の１枚のシートと、そのシートの使用法を示した図である。
【図８】シートが巻き付けられた状態のペットボトルを輪切りにした断面図である。
【図９】折返部の位置の視認を容易化させる手段を示した図である。
【図１０】本発明の第２実施形態に積層シートを示した図である。
【図１１】本発明の第３実施形態に積層シートを示した図である。
【図１２】本発明の第４実施形態としての積層シートの平面図である。
【図１３】シートを筒状体に巻き付けた状態を示した模式図である。
【発明を実施するための形態】
【００５６】
以下、本発明の実施の形態について説明する。
【００５７】
図１は、本発明の第１実施形態としての積層シートを示した図である。ここで、図１（Ａ）は平面図、図１（Ｂ）は側面図である。図１（Ｂ）の側面図では、分かりやすさのため、接着剤の厚みが強調されている。
【００５８】
この積層シート１Ａは、第１シート１０と、その第１シート１０の第１面１０ａ側に重ねられた第２シート２０とを備えている。第１シート１０は光透過性の薄いプラスチック製のシートである。また、第２シート２０は、第１シート１０の台紙としての役割を担っていて、第１シート１０よりも厚手のシートである。
【００５９】
この第１シート１０の、第２シート２０側を向いた第１面１０ａの、矢印Ｒ方向の端部には、接着剤が塗布された接着領域１２が形成されている。また、この第１シート１０の、第２シート２０側を向いた第１面１０ａの、矢印Ｌ方向の端部にも、接着剤が塗布された接着領域１３が形成されている。ただし、矢印Ｌ方向の端部の接着領域１３は、この実施形態では第１シート１０と第２シート２０が分離しないように、第１シート１０を第２シートに貼り付けておく役割のみ担っていて、後で有効活用はされない。接着領域１２，１３の接着剤は、第１シート１０と比べ第２シート２０から剥がれ易く、第１シート１０を第２シート２０から引き剥がしたときは、第１シート１０に貼り付いたままとなる。
【００６０】
また、この第１シート１０の、接着領域１２が形成された矢印Ｒ方向の端部には、矢印Ｌ−Ｒの方向に交わる矢印Ｆ−Ｂ方向に延びる折返し線１４が形成されている。本実施形態における折返し線１４は、第１シート１０が断続的に切断されたミシン目で形成されている。このミシン目は、本発明にいう第１のミシン目の一例に相当する。折返し線１４の詳細説明は後に譲る。
【００６１】
また、この第１シート１０は、矢印Ｌ−Ｒの方向に互いに平行に延びる分離用の複数のミシン目１５と、矢印Ｒ方向の端部に形成された、矢印Ｆ−Ｂ方向に延びるミシン目１６と、矢印Ｌ−Ｒ方向について矢印Ｒ方向の端部から離れた、矢印Ｌ方向の端部に近い位置に形成された、矢印Ｆ−Ｂ方向に延びるミシン目１７とを有する。これらのミシン目１５，１６，１７も、第１シート１０が断続的に切断されたミシン目である。これらのミシン目１５，１６，１７は、それぞれ、本発明にいう第３のミシン目、第４のミシン目、および第５のミシン目の各一例に相当する。また、これらのミシン目１５，１６，１７は、本発明にいう第２のミシン目の一例にも相当する。
【００６２】
ここで、折返し線１４とミシン目１６とに挟まれた領域を、ここでは第１領域１８と称する。また、折返し線１４と接着領域１２の矢印Ｌ側の端縁とに挟まれた領域を第２領域１９と称する。
【００６３】
この第１シート１０は、後述する印刷の後でミシン目１５，１６，１７で分離され、第２シート２０に貼り付いたまま廃棄される部分を除き、この図１に示す例では４枚のシートとなる。その分離後の１枚１枚のシートは、本発明のシートの一例に相当する。
【００６４】
図２は、図１に示した円Ｒ１および円Ｒ２の部分の拡大図である。図２（Ａ）には、分離用のミシン目１５が示されている。また、図２（Ｂ）には、ミシン目で形成された折返し線１４と分離用のミシン目１６が示されている。
【００６５】
分離用のミシン目１５，１６は、折返し線１４としてのミシン目よりも細かいピッチの断続的な切断により形成されている、いわゆるマイクロミシン目である。この図２には示されていないが、図１に示す分離用のミシン目１７も同様である。分離用のミシン目１５，１６，１７は、第１シート１０の破断用であり、破断しやすく、また破断により形成される縁の滑らかさを狙ったものである。
【００６６】
一方、折返し線１４としてのミシン目は、分離用のミシン目１５，１６，１７よりも粗いピッチの断続的な切断により形成されている。後で説明するように、ミシン目１５，１６，１７で分離された後のシートは、この折返し線１４で折り返される。このため、この折返し線１４には、折返されやすいことと、破断されにくさとの両方を満足する必要があり、分離用のミシン目１５，１６，１７よりもピッチが粗いミシン目を折返し線１４として使用している。
【００６７】
図３は、折返し線としてのミシン目の実験結果を示した図である。
【００６８】
ミシン目の、例えば０．３：０．３等のｘ：ｙは、１本の切断線の長さがｘｍｍ、隣接する２本の切断線どうしの間隔がｙｍｍであることを意味している。
【００６９】
この図３に示した実験結果の場合、ｘ：ｙ＝１ｍｍ：１ｍｍが、引張強度と折りやすさのバランスが優れていることが分かる。
【００７０】
ここに示した実験結果は、一例であり、第１シート１０の材料や厚みによって変化するため、使用する第１シート１０に応じて決定される。
【００７１】
図４は、印刷後の積層シートの平面図である。
【００７２】
図１に示した積層シート１Ａには、第１シート１０の、第２シート２０側を向いた第１面の裏面である第２面１０ｂ（図１（Ｂ）参照）に、画像が印刷される。ここに印刷される画像は、この図４の文字から分かるように、反転画像である。
【００７３】
図５は、プリントシステムの模式図である。
【００７４】
この図５には、通信線７０で接続されたプリンタ５０とパーソナルコンピュータ（以下、「ＰＣ」と略記する）６０が示されている。プリンタ５０は、本発明の印刷装置の一例に相当する。
【００７５】
ＰＣ６０では、例えば図４に示すような画像を表す画像データが生成されて、プリンタ５０に送信される。そして、プリンタ５０は、ＰＣ６０から送信されてきた画像データに基づく画像を用紙上に印刷する。このプリンタ５０には、印刷前の用紙を収容しておく用紙トレイ５１と、印刷後の用紙が排出される排紙トレイ５２が備えられている。そして、ＰＣ６０から画像データを受け取ると、用紙トレイ５１から用紙を取り出し、その用紙上に画像を印刷して排紙トレイ５２上に排出する。ここでは、図１に示した積層シート１Ａ上に画像を印刷することについて考察する。
【００７６】
図６は、プリンタの、用紙取り出し部分の構造を示した模式図である。
【００７７】
用紙トレイ５１には、積層シート１Ａが収容される。この用紙トレイ５１に収容された積層シート１Ａは、ピックアップロール５３により用紙トレイ５１から取り出され、捌きロール５４により確実に一枚のみに分離され、その一枚の積層シート１Ａが搬送ロール５５により搬送される。そして、その搬送された積層シート１Ａ上に図４に示すような反転画像が印刷されて、図５に示す排紙トレイ５２上に排出される。このため、積層シート１Ａの、用紙トレイ５１からの取り出しの先頭の部分は、用紙トレイ５１から取り出されるときのピックアップロール５３や捌きロール５４から強いストレスを受けることになる。
【００７８】
ここで、積層シート１Ａには、図１や図４に示すように分離用のミシン目１５，１６，１７が存在する。このため、用紙トレイ５１における積層シート１Ａの収容の向きを誤ると分離用のミシン目で破断するおそれがある。ここでは、積層シート１Ａは、矢印Ｒ方向の端部が先頭となって用紙トレイ５１から取り出される向きに収容される。矢印Ｒ方向の端部にも分離用のミシン目１６が存在するが、このミシン目１６の部分は、第２シート２０に貼り付けられているため、ピックアップロール５３や捌きロール５４から強いストレスを受けても破断には至らない。
【００７９】
図７は、印刷後の積層シートをミシン目で分離した後の１枚のシートと、そのシートの使用法を示した図である。
【００８０】
図４に示した印刷後の積層シート１Ａの第１シート１０（図１（Ｂ）参照）をミシン目１５，１６，１７で破ると、図７（Ａ）に示したシート３０となる。ここでは、このシート３０について、改めて説明しておく。
【００８１】
ここに示したシート３０には、画像が印刷されているが、印刷前のシート３０は、第１面（図１（Ｂ）に示す、第２シート２０から引き剥がす前の第２シート側を向いた面）と、その第１面に対する裏面である第２面との間で光が透過するシートである。ただし、必ずしも無色透明である必要はなく、例えば色づいていてもよく、あるいは、光の透過率が低くてもよい。ただし、印刷を際立たせるためには、印刷前のシート３０自体は、無色透明に近い方が望ましい。
【００８２】
このシート３０は、矢印Ｌ−Ｒで示す方向に延びた形状を有している。この矢印Ｌ−Ｒで示す方向を、ここでは第１方向と称する。また、このシート３０の、矢印Ｒ方向の端部には、その第１面（図１（Ｂ）に示す、第２シート２０から引き剥がす前の第２シート側を向いた面）に接着剤が塗布された接着部３２が形成されている。接着部３２が形成された、矢印Ｒ方向の端部を、ここでは第１端部と称する。また、矢印Ｌ方向の端部を、ここでは第２端部と称する。
【００８３】
このシート３０の第１端部には、折返部３４が形成されている。この実施形態における折返部３４は、矢印Ｌ−Ｒで示す第１方向と交わる、矢印Ｆ−Ｂで示す第２方向に延びている。具体的には、この実施形態のシート３０における折返部３４は、第１方向と直角な第２方向に延びる、シート３０が断続的に切断されたミシン目である。そして、このミシン目は隣接する切断部どうしの間隔と１つの切断部の長さが１対１の比率となっている。
【００８４】
また、図１および図４の説明から明らかなように、シート３０の縁にはミシン目で破断された部分が存在する。この縁は、折返部３４のミシン目よりも細かなピッチの、いわゆるマイクロミシン目の破断により形成されているため、破断による荒れは目立たずに、滑らかな縁となっている。このミシン目は、本発明にいう第２のミシン目の一例に相当する。
【００８５】
ここでは、折返部３４と第１端部側の端縁３０ａとの間の領域を第１領域３８と称する。この第１端部側の端縁３０ａは、本発明にいう第１端縁の一例に相当する。また、接着部３２の、折返部３４を挟み第１領域３８とは反対側の領域、すなわち、折返部３４と、接着部３２の矢印Ｌ側の端との間の領域を第２領域３９と称する。本実施形態における第１領域３８は、図７（Ｂ）に示すように、ペットボトル４０に貼り付ける貼付け部である。このペットボトル４０は、本発明にいう被貼付体および被巻付体の一例に相当する。
【００８６】
また、このシート３０の第２面には、画像が印刷されている。この第２面に印刷されている画像は、実際に観察する画像を裏返しにした反転画像である。
【００８７】
このシート３０を、図７（Ｂ）に示すようにペットボトル４０に貼り付ける。このペットボトル４０には、縦に延びるパーティクルライン４１が製造時に形成されるため、貼り付に当たっては、折返部３４をパーティクルライン４１に合わせることが好ましい。
【００８８】
このシート３０の第１領域３８をペットボトル４０に貼り付けたら、次に、図７（Ｃ）に示すように、このシート３０を折返部３４で折り返す。この折返部３４にはミシン目が形成されているため、その折返部３４に隣接した領域よりも折り返されやすく、シート３０を図７（Ｂ）から図７（Ｃ）のように姿勢を変更すると、その姿勢変更による折返しの力が折返部３４に作用してその折返部３４で折り返される。そして、折返部３４をパーティクルライン４１に合わせておくことによって、正確に横向きに折り返される。また、このシート３０を折返部３４で折り返すことによって、第２面がペットボトル４０側を向いた面となる。すなわち、このシート３０に印刷された画像が正しく視認される向きとなる。
【００８９】
図７（Ｃ）に示すようにして折り返した後、このシート３０をペットボトル４０に一周に亘って巻き付ける。折返部３４で折り返したことによりシート３０の第１面が表を向いた面となり、接着部３２の第２領域３９は、接着剤を表に向けた面となっている。そこで、ペットボトル４０に一周に亘って巻き付け後の、シート３０の、図７（Ａ）に示す矢印Ｌ側の第２端部を、その第２領域３９に貼り付ける。このようにして、ペットボトル４０に、シート３０からなるラベルが貼り付けられる。この貼り付け後のシート３０上の印刷面はペットボトル４０側を向いた面であり、摩擦傷などによる印刷の損傷が防止される。
【００９０】
図８は、シートが巻き付けられた状態のペットボトルを輪切りにした断面図である。
【００９１】
図８（Ａ）は、一周巻き付けた後の端縁（図７（Ａ）に示す矢印Ｌで示す第２端部側の端縁）３０ｂが、接着剤が塗布されている第２領域３９よりもはみ出ている。この巻き付けたシート３０を再び剥がすことを予定しているときは、この図８（Ａ）に示すように、シート３０を、端縁３０ｂが第２領域３９よりもはみ出る長さとしておいてもよい。
【００９２】
図８（Ｂ）は、端縁３０ｂが第２領域３９の端縁と重なっている。このほうがデザイン上優れていると考えるときは、この図８（Ｂ）に示すように、シート３０を、端縁３０ｂと第２領域３９の端縁とが重なる長さとしておいてもよい。
【００９３】
図８（Ｃ）は、第２領域３９の一部がはみ出る位置に端縁３０ｂがある。この場合は、接着剤が直接に表に出ることになり、そこに埃が付着したり、ペットボトル４０を手に持った人に不快感を与えるおそれがあり、シート３０を、この図８（Ｃ）に示すような、第２領域３９がはみ出る長さとすることは推奨されない。
【００９４】
図９は、折返部の位置の視認を容易化させる手段を示した図である。ここには、その手段を備えない場合と比べ折返部の位置の視認が容易となる、図９（Ａ）〜（Ｅ）の５例が示されている。
【００９５】
図９（Ａ）は、第１領域３８を着色した例である。折返部３４は、着色の縁として容易に視認される。
【００９６】
図９（Ｂ）は、第１領域３８に、折返部３４を境にした切欠き３０ｃが設けられている例である。折返部３４は、切欠き３０ｃの縁として容易に視認される。
【００９７】
図９（Ｃ）は、第１領域３８に、折返部３４を指し示す目印３０ｄが形成されている例である。折返部３４は、目印３０ｄが指し示す先として容易に視認される。
【００９８】
図９（Ｄ）および図９（Ｅ）は、いずれも、第１領域３８が、折返部３４を境にして隣接する第２領域３９とは異なる形状を有している例である。具体的には、この２例とも、第１領域３８が、折返部３４を境にして隣接する第２領域３９と比べ、矢印Ｆ−Ｂで示す幅方向の寸法が短くなっている。
【００９９】
ここで、図９（Ｄ）における第１領域３８は、幅方向の寸法が単純に短い矩形であるが、図９（Ｅ）における第１領域３８は、折返部３４から離れるにしたがって幅方向の寸法が短くなる弧形状となっている。
【０１００】
次に、第２実施形態以降の各実施形態について説明する。なお、第２実施形態以降の各実施形態については、分かりやすさのため、第１実施形態において使用した符号をそのまま用いて説明する。
【０１０１】
図１０は、本発明の第２実施形態に積層シートを示した図である。この図１０は、積層シート１Ｂの、図１に示した円Ｒ２に相当する部分の拡大図であって、図１０（Ａ）は平面図、図１０（Ｂ）は側面図である。
【０１０２】
この積層シート１Ｂの折返し線１４には、ミシン目は存在しない。それに代わり、折返しが予定されている折返し線１４に沿って延びる、例えばプラスチックの糸などの、隣接した領域よりも硬い素材からなる硬質部３５が形成されている。この積層シート１Ｂ１枚１枚に分離した後のシートを折り返すと、その硬質部３５に隣接した折返し線１４で折り返される。
【０１０３】
図１１は、本発明の第３実施形態に積層シートを示した図である。図１０と同様、この図１１は、積層シート１Ｃの、図１に示した円Ｒ２に相当する部分の拡大図であって、図１１（Ａ）は平面図、図１１（Ｂ）は側面図である。
【０１０４】
この図１１に示す積層シート１Ｃには、折返し線１４に、折り癖３７が形成されている。この折り癖３７は、１枚１枚のシートに分離する前の積層シート１Ｃの状態にあるときに一度折って広げることによりついた折り目である。この折り癖３７は、折り返したときに内側となる面に凹溝が形成される向きにつけた折り癖である。
１枚１枚に分離した後のシートを折り返すと、その折り癖３７のついた折返し線１４で折り返される。
【０１０５】
図１２は、本発明の第４実施形態としての積層シートの平面図である。ここでは、図１に示した第１実施形態との相違点についてのみ、説明する。
【０１０６】
この積層シート１Ｄには、矢印Ｌ−Ｒ方向の両端部に接着領域１２Ａ，１２Ｂが形成されている。また、積層シート１Ｂには、接着領域１２Ａ，１２Ｂの内側の端縁に折返し線１４Ａ，１４Ｂが形成されている。接着領域１２Ａ，１２Ｂは、本発明にいう接着部および第２接着部の各一例に相当し、また、接着領域１２Ａ，１２Ｂの外側の各端縁は、本発明にいう第１端縁および第２端縁の各一例に相当する。さらに、折返し線１４Ａ，１４Ｂは、本発明にいう折返部および第２折返部の各一例に相当する。この積層シート１Ｄの、他の点は、寸法の相違を除き、図１に示した第１実施形態と同一である。
【０１０７】
図１３は、シートを筒状体に巻き付けた状態を示した模式図である。ただし、ここでは、印刷は省略している。このシート８０は、図１２の積層シート１Ｄのうちの第１シート１０（図１参照）を破断用のミシン目で切断することで作成したシートである。ここでは、分かりやすさのため、図１２に示した分離前の積層シート１Ｄについて付した符号をそのまま用いて説明する。
このシート８０は、接着領域１２Ａ，１２Ｂについては接着剤が塗布されている第１面を筒状体９０側に向けて筒状体９０に貼り付き、折返し線１４Ａ，１４Ｂで折り返されて、接着領域１２Ａ，１２Ｂを除く部分につけては、図１２に示した積層シート１Ｂの状態では接着剤が塗布されている第１面と同一面であった面を外側に向けて筒状体９０を螺旋状に取り巻いている。
このように、本発明のシートおよび積層シートは、被巻付体に単純に一周するように巻き付ける使用法に限定されるものではない。
【符号の説明】
【０１０８】
１Ａ，１Ｂ  積層シート
１０    第１シート
１０ａ  第１面
１０ｂ  第２面
１２，１２Ａ，１２Ｂ，１３  接着領域
１４，１４Ａ，１４Ｂ  折返し線
１５，１６，１７  ミシン目
１８    第１領域
１９    第２領域
２０    第２シート
３０    シート
３０ａ  第１端部側の端縁
３０ｂ  第２端部側の端縁
３２    接着部
３４    折返部
３５    硬質部
３７    折り癖
３８    第１領域
３９    第２領域
４０    ペットボトル
４１    パーティクルライン
５０    プリンタ
５１    用紙トレイ
５２    排紙トレイ
５３    ピックアップロール
５４    捌きロール
５５    搬送ロール
６０    パーソナルコンピュータ（ＰＣ）
７０    通信線
８０    シート
９０    筒状体
【図１】
2020147351.tif 000003
【図２】
2020147351.tif 000004
【図３】
2020147351.tif 000005
【図４】
2020147351.tif 000006
【図５】
2020147351.tif 000007
【図６】
2020147351.tif 000008
【図７】
2020147351.tif 000009
【図８】
2020147351.tif 000010
【図９】
2020147351.tif 000011
【図１０】
2020147351.tif 000012
【図１１】
2020147351.tif 000013
【図１２】
2020147351.tif 000014
【図１３】
2020147351.tif 000015